(57)【要約】【課題】自由にアンテナの配置位置を決定することができる通信機器を提供すること。【解決手段】操作部側筐体２と、操作部側筐体２内に配設されたループアンテナ部８１と、操作部側筐体２内に配設された基準電位部７２を有する回路基板７０と、回路基板７０上に実装された、外表面に金属部７４を有する充電端子１９と、を有し、金属部７４の端部は、回路基板７０上の基準電位部７２と電気的に隔離された部位に実装されること、を特徴とする。【選択図】図７
2008211598.tif 000002
【特許請求の範囲】
【請求項１】
筐体と、
前記筐体内に配設されたアンテナと、
前記筐体内に配設された基準電位部を有する回路基板と、
前記回路基板上に実装された、外表面に金属部を有する電子部品と、を有し、
前記金属部は、前記回路基板上の前記基準電位部と電気的に隔離された部位に実装されること、を特徴とする通信機器。
【請求項２】
前記アンテナは、前記電子部品と対向するように前記筐体内に配設される、ことを特徴とする請求項１に記載の通信機器。
【請求項３】
前記アンテナは、前記電子部品と前記筐体内面との間に配設され、
前記電子部品は、前記アンテナを前記筐体内面側に押圧する、ことを特徴とする請求項１又は請求項２に記載の通信機器。
【請求項４】
前記電子部品は、前記筐体外部に露出される金属接続端子部を有する、ことを特徴とする請求項１乃至請求項３のいずれか１項に記載の通信機器。
【請求項５】
筐体と、
前記筐体内に配設されたアンテナと、
前記筐体内に配設された基準電位部を有する回路基板と、
前記回路基板上に実装された、外表面に金属部を有する電子部品と、を有し、
前記金属部と前記アンテナとの間には磁性体材料が配設され、
前記電子部品は、前記磁性体材料を介して前記アンテナを前記筐体内面側に押圧する、ことを特徴とする通信機器。
【請求項６】
筐体と、
前記筐体内に配設されたアンテナと、
前記筐体内に配設された基準電位部を有する回路基板と、
前記回路基板上の所定の位置に実装されている電子部品を外表面から覆う金属部と、を有し、
前記基準電位部は、前記回路基板の一方の平面上に形成される所定のパターンにより配設されており、
前記電子部品は、前記回路基板上の他方の平面上であって、前記アンテナの近傍となる前記所定のパターンに対応する部位に実装されており、
前記金属部の端子は、前記他方の平面から前記一方の平面に向かって前記回路基板を挿通し、前記回路基板上に配設されている前記基準電位部と電気的に非導通となるように固定される、ことを特徴とする通信機器。
【発明の詳細な説明】
【技術分野】
【０００１】
本発明は、アンテナを介して他の端末と通信を行う通信機器に関する。
に関する。
【背景技術】
【０００２】
現在、他者と遠隔通信を行うための通信機器において、機能性向上のために、近距離の無線信号送受信を行う非接触ＩＣ（Ｉｎｔｅｇｒａｔｅｄ  Ｃｉｒｃｕｉｔ）チップであるＲＦＩＤ（Ｒａｄｉｏ  Ｆｒｅｑｕｅｎｃｙ  Ｉｄｅｎｔｉｆｉｃａｔｉｏｎ）等の通信手段が筐体に内蔵されたものが増えつつある。
【０００３】
このＲＦＩＤは、ＦＰＣ（Ｆｌｅｘｉｂｌｅ  Ｐｒｉｎｔｅｄ  Ｃｉｒｃｕｉｔｓ）やコイルをループ状に形成することによりアンテナを形成している。ここで、アンテナの取り付け位置としては、アンテナの形状や筐体内部の他の部品配置により決定されるものであるが、例えば、背面ケースのいずれかの位置に取り付けられる場合がある。
【０００４】
ここで、アンテナ特性の劣化を防ぐために、アンテナと回路基板上に形成されているシールドケース（基準電位部）とが近接しないように設計された無線通信端末が知られている（特許文献１を参照）。
【特許文献１】特開２００６−２３８２０４号公報
【発明の開示】
【発明が解決しようとする課題】
【０００５】
しかしながら、アンテナとシールドケース（基準電位部）とが重なり合って近接しないようにするためには、筐体内におけるアンテナの配置位置が制限されるという課題がある。
【０００６】
例えば、回路基板上に実装された電子部品を補強等のためにカバーする金属部を外表面に有しており、当該金属部が回路基板の基準電位部と電気的に接続されている、すなわち当該金属部がグランドと同視し得るような場合にあっては、当該金属部にアンテナが近接して重なり合ってしまうとアンテナ特性が劣化してしまうおそれがある。
【０００７】
したがって、アンテナは、このような電子部品と近接して重なり合わないように筐体内に配置しなければならず、限られたスペースしかない筐体内において、アンテナの配置位置の設計が困難となる。
【０００８】
本発明は、上述のような課題に鑑みてなされたものであり、その目的の一つは、限られたスペースしかない筐体内において、自由にアンテナの配置位置を決定することが可能な通信機器を提供することを目的とする。
【課題を解決するための手段】
【０００９】
本発明に係る通信機器は、上記課題を解決するために、筐体と、前記筐体内に配設されたアンテナと、前記筐体内に配設された基準電位部を有する回路基板と、前記回路基板上に実装された、外表面に金属部を有する電子部品と、を有し、前記金属部は、前記回路基板上の前記基準電位部と電気的に隔離された部位に実装されること、を特徴とする。
【００１０】
上記通信機器では、前記アンテナは、前記電子部品と対向するように前記筐体内に配設される構成であることが好ましい。
【００１１】
上記通信機器では、前記アンテナは、前記電子部品と前記筐体内面との間に配設され、前記電子部品は、前記アンテナを前記筐体内面側に押圧する構成であることが好ましい。
【００１２】
上記通信機器では、前記電子部品は、前記筐体外部に露出される金属接続端子部を有する構成であることが好ましい。
【００１３】
本発明に係る通信機器は、上記課題を解決するために、筐体と、前記筐体内に配設されたアンテナと、前記筐体内に配設された基準電位部を有する回路基板と、前記回路基板上に実装された、外表面に金属部を有する電子部品と、を有し、前記金属部と前記アンテナとの間には磁性体材料が配設され、前記電子部品は、前記磁性体材料を介して前記アンテナを前記筐体内面側に押圧する、ことを特徴とする。
【００１４】
本発明に係る通信機器は、上記課題を解決するために、筐体と、前記筐体内に配設されたアンテナと、前記筐体内に配設された基準電位部を有する回路基板と、前記回路基板上の所定の位置に実装されている電子部品を外表面から覆う金属部と、を有し、前記基準電位部は、前記回路基板の一方の平面上に形成される所定のパターンにより配設されており、前記電子部品は、前記回路基板上の他方の平面上であって、前記アンテナの近傍となる前記所定のパターンに対応する部位に実装されており、前記金属部の端子は、前記他方の平面から前記一方の平面に向かって前記回路基板を挿通し、前記回路基板上に配設されている前記基準電位部と電気的に非導通となるように固定されることを特徴とする。
【発明の効果】
【００１５】
本発明によれば、自由にアンテナの配置位置を決定することができる。
【発明を実施するための最良の形態】
【００１６】
以下、図面を参照して本発明を実施するための最良の形態を説明する。なお、以下、通信機器として携帯電話機について説明するが、本発明はこれに限定されるものではなく、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であっても良い。
【００１７】
図１から図３により、携帯電話機１における基本構造を説明する。図１は、携帯電話機１を開いた状態（第１開状態）における正面図を示す。また、図２（Ａ）は、携帯電話機１を開いた状態における左側面図を示し、図２（Ｂ）は、携帯電話機１を開いた状態における右側面図を示す。また、図３は、携帯電話機１を開いた状態における背面図を示す。
【００１８】
携帯電話機１は、操作部側筐体２（筐体）と、表示部側筐体３とを備える。操作部側筐体２と表示部側筐体３とは２軸ヒンジ機構を備える連結部４を介して連結され、該携帯電話機１を開状態及び閉状態に変形可能とすると共に、開状態及び閉状態それぞれにおいて表示部側筐体３を表状態と裏状態とに切り替えることができる。
【００１９】
ここで、閉状態とは、両筐体が互いに重なるように配置された状態であり、開状態とは、両筐体が互いに重ならないように配置された状態をいう。そして、開状態における表状態とは、後述する表示部側筐体３における表面３ａに配置されるディスプレイ３０と、操作部側筐体２における表面２ａに配置される操作キー群１１とが同じ側を向くように配置された状態であり、裏状態とは、表示部側筐体３におけるディスプレイ３０と操作部側筐体２における操作キー群１１とが反対側を向くように配置された状態をいう。また、閉状態における表状態とは、表示部側筐体３におけるディスプレイ３０が操作部側筐体２における操作キー群１１に対向するように配置された状態であり、閉状態における裏状態とは、表示部側筐体３におけるディスプレイ３０が操作部側筐体２における操作キー群１１と対向せずに表出した状態である。
【００２０】
操作部側筐体２は、外面がフロントケース２ａとリアケース２ｂとにより構成される。この操作部側筐体２は、フロントケース２ａ側に、操作キー群１１と、携帯電話機１の使用者が通話時に発した音声が入力される音声入力部１２とがそれぞれ露出するように構成される。ここで、操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う決定操作キー１５と、から構成されている。また、音声入力部１２は、操作部側筐体２の長手方向における連結部４側とは反対の外端部側に配置される。つまり、音声入力部１２は、携帯電話機１が開状態において一方の外端部側に配置される。
【００２１】
操作キー群１１を構成する各キーそれぞれには、操作部側筐体２と表示部側筐体３との開閉状態や表裏状態等の変形状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００２２】
操作部側筐体２における一方の側面には、図２（Ａ）に示すように、外部機器（例えば、ホスト装置）とデータの送受信を行うためのインターフェース１６と、ヘッドホン／マイク端子１７と、着脱可能な外部メモリのインターフェース１８と、バッテリーを充電するための充電端子１９とが設けられている。なお、インターフェース１６、ヘッドホン端子／マイク端子１７及びインターフェース１８は、不使用時において着脱可能な防塵対策用のキャップで覆われている。
【００２３】
操作部側筐体２における他方の側面には、図２（Ｂ）に示すように、一対のサイドキー２０と、撮像時に使用される操作キー２１と、電波の受信角度を調整可能な放送波受信用のアンテナ２２とが配置される。このサイドキー２０には、操作部側筐体２と表示部側筐体３との開閉状態や表裏状態等の変形状態や、起動されているアプリケーションの種類に応じて所定の機能が割り当てられる（キー・アサイン）。ここで、上述と同様に、サイドキー２０が使用者により押圧されることで、携帯電話機１においてサイドキー２０に割り当てられている機能に応じた動作が実行される。
【００２４】
操作部側筐体２のリアケース２ｂには、図３に示すように、被写体を撮像するカメラ部２３と、被写体に光を照射するライト部２４とが露出して配置される。このカメラ部２３とライト部２４とは、操作部側筐体２における連結部４側に配置される。また、操作部側筐体２におけるリアケース２ｂには、詳細は後述するバッテリーの収容部にバッテリーを装着するための開口部が形成されると共に、該開口部を塞ぐようにバッテリーリッド２５が配置される。
【００２５】
また、操作部側筐体２の上端部と表示部側筐体３の下端部とは、図１から図３に示すように、２軸ヒンジ機構を備える連結部４を介して連結される。連結部４における一方の面（裏面）には、図３に示すように、副操作キー群３３が該携帯電話機１の幅方向（短手方向）において一列に並んで配置される。この副操作キー群３３を構成する各キーそれぞれには、操作部側筐体２と表示部側筐体３との開閉状態や表裏状態等の変形状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００２６】
また、表示部側筐体３は、外面がフロントケース３ａとリアケース３ｂとにより構成される。表示部側筐体３におけるフロントケース３ａには、図１に示すように、各種情報を表示するための所定形状のディスプレイ３０と、通話の相手側における音声を出力する音声出力部３１とが露出するように配置される。ここで、音声出力部３１は、表示部側筐体３の長手方向における連結部４とは反対の外端部側に配置される。つまり、音声出力部３１は、携帯電話機１が開状態において他方の端部側に配置される。
【００２７】
また、表示部側筐体３のリアケース３ｂには、図３に示すように、各種情報を表示するためのサブディスプレイ３２が露出して配置される。ディスプレイ３０及びサブディスプレイ３２それぞれは、液晶パネルと、この液晶パネルを駆動する駆動回路と、この液晶パネルの背面側から光を照射するバックライト等の光源部とから構成される。
【００２８】
なお、本実施形態においては、連結部４により折り畳み可能な携帯電話機１の説明をしているが、折り畳み式ではなく、操作部側筐体２と表示部側筐体３とを重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転（リボルバ）式や、操作部側筐体２と表示部側筐体３とが一つの筐体に配置され連結部を有さない型式（ストレートタイプ）でも良い。
【００２９】
つぎに、図４により、操作部側筐体２の内部構造について説明する。
【００３０】
操作部側筐体２は、図４に示すように、フロントケース２ａと、上述した操作キー群１１を構成するキーシート４０と、キースイッチが配置されるフレキシブルプリント配線基板５０と、シールドケース６０と、基準電位部７２及び携帯電話機用のＲＦ（Ｒａｄｉｏ  Ｆｒｅｑｕｅｎｃｙ）モジュール等の各種電子部品を備える回路基板７０と、アンテナ部８０と、ループアンテナ部８１（アンテナ）と、リアケース２ｂと、を備える。また、バッテリー９０は、リアケース２ｂの外側から装脱可能に収容される。また、バッテリーリッド２５は、リアケース２ｂの開口部９１を塞ぐように配置される。
【００３１】
また、フロントケース２ａとリアケース２ｂとは、互いの凹状の内側面が向き合うように配置されると共に、互いの外周縁が重なり合うようにして結合される。また、フロントケース２ａとリアケース２ｂとの間には、キーシート４０と、フレキシブルプリント配線基板５０と、シールドケース６０と、回路基板７０と、アンテナ部８０及びループアンテナ部８１とが、フロントケース２ａ側からこの順番で収納配置される。
【００３２】
回路基板７０における第１の面７１には、詳細は後述する基準電位部７２が形成される。また、回路基板７０における第２の面７３には、詳細は後述する充電端子１９等の各種電子部品が配置される。具体的には、第２の面７３には、図示しないカメラ部２３やライト部２４が連結部４側の端部に配置されると共に、図示しない音声入力部１２が連結部４側の端部に配置される。なお、カメラ部２３やライト部２４は、リアケース２ｂに所定の形状で穿孔されている穿孔部２ｃを介して外部に露出される。
【００３３】
シールドケース６０は、薄型の直方体における一の広い面が開口した形状を有する金属製の部材である。なお、シールドケース６０は、金属により形成する以外に、骨格を樹脂により形成し、その表面に導体膜を形成したものでも良い。
【００３４】
また、シールドケース６０は、回路基板７０における第１の面７１に形成される基準電位部７２と導通する。これにより、シールドケース６０は、基準電位部７２と電気的に導通して同じ大きさの電位を有するようになる。また、シールドケース６０は、外部からのノイズが回路基板７０に配置される各種電子部品に作用するのを防ぐと共に、回路基板７０に形成される高周波回路等から放出されるノイズを吸収する。また、シールドケース６０は、後述する各種キーの押圧操作に対する剛性確保のための補強部材としても機能する。
【００３５】
フレキシブルプリント配線基板５０は、フロントケース２ａ側の面に複数のキースイッチ５１、５２、５３を有している。フレキシブルプリント配線基板５０のキースイッチ５１、５２、５３は、椀状に湾曲して立体的に形成された金属板のメタルドームを有する構造になっている。メタルドームは、その椀状形状の頂点が押圧されると、フレキシブルプリント配線基板５０の表面に印刷された不図示の電気回路に形成されるスイッチ端子に接触して電気的に導通する。なお、フレキシブルプリント配線基板５０は、複数の絶縁フィルムの間に配線を挟み込んだものである。
【００３６】
キーシート４０は、シリコンゴム製のシート４１の表面に操作キー群１１により構成される機能設定操作キー１３、入力操作キー１４及び決定操作キー１５が接着剤により貼り付けられて構成される。また、キーシート４０における操作キー群１１を構成する機能設定操作キー１３、入力操作キー１４及び決定操作キー１５は、フレキシブルプリント配線基板５０におけるキースイッチ５１、５２、５３と対向する位置に配置されると共に、後述するフロントケース２ａに形成されるキー孔４５から露出するように配置される。
【００３７】
フロントケース２ａには、携帯電話機１を折り畳んだ状態で表示部側筐体３のディスプレイ３０と対向する内側面に、キー孔４５が複数形成される。複数のキー孔４５それぞれからは、キーシート４０上に形成される機能設定操作キー１３、入力操作キー１４及び決定操作キー１５の押圧面が露出する。この露出した操作キー群１１を構成する機能設定操作キー１３、入力操作キー１４及び決定操作キー１５の押圧面を押し下げるように押圧することで、対応するキースイッチ５１、５２、５３それぞれにおけるメタルドーム（椀状形状）の頂点が押圧され、スイッチ端子に接触して電気的に導通する。
【００３８】
アンテナ部８０は、基台上に所定形状のアンテナエレメントが配置されることにより構成さる。アンテナ部８０は、携帯電話機１における連結部４側と反対の端部側に配置される。このアンテナ部８０のアンテナエレメントは、帯状の板金により形成される。また、アンテナ部８０は、不図示の給電端子を介して回路基板７０から給電される。これにより、アンテナエレメントは、給電端子を介して回路基板７０から給電されると共に、回路基板７０のＲＦモジュール等と接続される。
【００３９】
ループアンテナ部８１は、詳細は後述するＲＦＩＤ用のアンテナであり、リアケース２ｂの内部に形成されているバッテリー９０を収容する部分を囲うようにして配置される。
【００４０】
バッテリー９０は、リアケース２ｂに形成された開口部９１を介してバッテリー収容部９２に着脱可能に収容される。バッテリー収容部９２は、リアケース２ｂと回路基板７０の一部とにより形成される。そして、バッテリー９０が収容された状態において、開口部９１を塞ぐようにバッテリーリッド２５を配置することで、バッテリー９０の脱落を抑制することができる。
【００４１】
つぎに、図５の機能ブロック図を参照して、携帯電話機１の各機能について説明する。携帯電話機１は、図５に示すように、ＲＦＩＤ部１００を含んで構成されている第１の通信部１０１と、外部の端末と通信を行う第２の通信部２００と、第２の通信部２００により通信される情報を処理する処理部２０１と、を備えている。
【００４２】
第１の通信部１０１は、上述したＲＦＩＤ部１００を含んで構成されており、第１の使用周波数帯（例えば、１３．５６ＭＨｚ）により外部装置と通信を行うループアンテナ部８１と、調整用のコンデンサ１０２と、を備える。
【００４３】
ループアンテナ部８１は、例えば、ＰＥＴ（ｐｏｌｙｅｔｈｙｌｅｎｅ  ｔｅｒｅｐｈｔｈａｌａｔｅ）材料からなるシート上に複数回渦巻き状に巻かれたコイルを備えて構成されており、外部装置から送信される第１の使用周波数帯の信号を受信する。
【００４４】
ＲＦＩＤ部１００は、ループアンテナ部８１で受信された信号によって誘起された電力に基づいて所定の電圧を生成する電源回路１０３と、ループアンテナ部８１により通信される信号に対して変調処理又は復調処理等の信号処理を行うＲＦ回路１０４と、所定の演算処理を行うＣＰＵ１０５と、所定のデータが格納されているメモリ１０６と、を備えている。電源回路１０３は、例えば、ＤＣ−ＤＣコンバータにより構成されている。
【００４５】
ここで、第１の通信部１０１の動作について説明する。
【００４６】
ループアンテナ部８１は、外部に設置されているリーダ・ライタ装置に対して、所定距離まで接近したときに、当該リーダ・ライタ装置から送信される電波（第１の使用周波数帯であるキャリア周波数（例えば、１３．５６ＭＨｚ）により変調されている）を受信する。なお、コンデンサ１０２は、第１の使用周波数帯の電波がループアンテナ部８１を介してＲＦ回路１０４に供給されるように、所定の調整（チューニング）を行う。
【００４７】
また、ループアンテナ部８１により電波が受信されると、共振作用により起電力が発生する。
【００４８】
電源回路１０３は、共振作用により発生した起電力から所定の電源電圧を生成し、ＲＦ回路１０４と、ＣＰＵ１０５と、メモリ１０６とに供給する。また、ＲＦ回路１０４と、ＣＰＵ１０５と、メモリ１０６とは、電源回路１０３から所定の電源電圧が供給されることにより停止状態から起動状態に移行する。
【００４９】
ＲＦ回路１０４は、ループアンテナ部８１を介して供給された第１の使用周波数帯の信号に対して復調等の信号処理を行い、処理後の信号をＣＰＵ１０５に供給する。
【００５０】
ＣＰＵ１０５は、ＲＦ回路１０４から供給された信号に基づいて、メモリ１０６にデータを書き込む、又は、メモリ１０６からデータを読み出す。ＣＰＵ１０５は、メモリ１０６からデータを読み出した場合には、当該データをＲＦ回路１０４に供給する。ＲＦ回路１０４は、メモリ１０６から読み出されたデータに対して変調等の信号処理を行い、ループアンテナ部８１を介して外部のリーダ・ライタ装置に送信する。
【００５１】
また、第１の通信部１０１は、上述では、電源部を有さない、いわゆる受動型（Ｐａｓｓｉｖｅ）の誘導電磁界方式（電磁誘導方式）であるものとして説明を行ったが、これに限られず、受動型の相互誘導方式（電磁結合方式）又は放射電磁界方式（電波方式）であっても良いし、又は、電源部を有する能動型（Ａｃｔｉｖｅ）であっても良い。なお、能動型の場合には、電源は、バッテリー９０から供給される。また、第１の通信部１０１のアクセス方式として、リード・ライト型であるものとして説明を行ったが、これに限られず、リードオンリー型や、ライトワンス型等であっても良い。
【００５２】
また、第２の通信部２００は、図５に示すように、第１の使用周波数帯よりも高い周波数帯である第２の使用周波数帯により外部装置と通信を行うアンテナ部８０（メインアンテナ）と、変調処理又は復調処理等の信号処理を行う通信処理部２０２と、を備える。また、第２の通信部２００は、バッテリー９０から電源の供給を受けている。
【００５３】
アンテナ部８０は、第２の使用周波数帯（例えば、８００ＭＨｚ）で外部装置と通信を行う。なお、本実施の形態では、第２の使用周波数帯として、８００ＭＨｚとしたが、これ以外の周波数帯であっても良い。また、アンテナ部８０は、第２の使用周波数帯の他に、第３の使用周波数帯（例えば、２ＧＨｚ）に対応できる、いわゆるデュアルバンド対応型による構成であっても良いし、さらに、第４の使用周波数帯にも対応できる複数バンド対応型により構成されていても良い。
【００５４】
通信処理部２０２は、アンテナ部８０によって受信した信号を復調処理し、処理後の信号を処理部２０１に供給し、処理部２０１から供給された信号を変調処理し、アンテナ部８０を介して外部装置に送信する。
【００５５】
また、処理部２０１は、図５に示すように、操作キー群１１と、音声入力部１２と、ディスプレイ３０と、音声出力部３１と、所定の演算処理を行うＣＰＵ２０３と、所定のデータが格納されているメモリ２０４と、所定の音処理を行う音響処理部２０５と、所定の画像処理を行う画像処理部２０６と、被写体を撮像するカメラ部２３と、着信音等が出力されるスピーカ２０７等を備えている。また、処理部２０１は、バッテリー９０から電源の供給を受けている。なお、携帯電話機１は、図５に示すように、ＣＰＵ１０５とＣＰＵ２０３とが、信号線Ｓで結ばれており、信号線Ｓを介して第１の通信部１０１により処理された情報が画像処理部２０６に供給され、画像処理部２０６により処理された情報がディスプレイ３０に表示される構成となっている。
【００５６】
つぎに、ループアンテナ部８１の配置位置について説明する。図６（Ａ）は、リアケース２ｂにループアンテナ部８１が配置される前の斜視図を示し、図６（Ｂ）は、リアケース２ｂにループアンテナ部８１が配置された後の斜視図を示し、図６（Ｃ）は、ループアンテナ部８１が配置されたリアケース２ｂに回路基板７０が取り付けられる前の斜視図を示している。
【００５７】
ループアンテナ部８１は、図６（Ａ）及び（Ｂ）に示すように、リアケース２ｂの内側に形成されているバッテリー収容部９２の外壁とリアケース２ｂの内壁との間に配置される。
【００５８】
また、回路基板７０上には、図６（Ｃ）に示すように、図示しない充電台（クレードル）に携帯電話機１が載置された際に、充電台側から電源の供給を受けるための充電端子１９（電子部品）が設けられている。また、この充電端子１９の外表面には、強度補強用の金属部７４が設けられている。
【００５９】
また、シールドケース６０と向き合う側の回路基板７０の平面上（第１の面７１）には、辺縁部を含んで構成される所定のパターンにより基準電位部７２が配設されている。
【００６０】
また、充電端子１９は、基準電位部７２が配設されていない側の回路基板７０の平面上（第２の面７３）であって、当該平面上の所定のパターンに対応する辺縁部付近における所定の位置に実装されている。
【００６１】
また、金属部７４は、充電端子１９を外表面から覆っており、その端子が回路基板７０の一方面側（第２の面７３）から他方面側（基準電位部７２が配設されている第１の面７１）に向かって挿通され、第１の面７１側で固定されている。
【００６２】
したがって、ループアンテナ部８１が配置されたリアケース２ｂに回路基板７０が取り付けられた場合、回路基板７０上に設けられている充電端子１９とループアンテナ部８１とが近接する構成となる（図７を参照）。なお、図７（Ａ）は、操作部側筐体２の平面図を示し、図７（Ｂ）は、図７（Ａ）に示す操作部側筐体２の切断面Ａ−Ａにおける断面図を示し、図７（Ｃ）は、図７（Ａ）に示す操作部側筐体２の切断面Ｂ−Ｂにおける断面図を示し、図７（Ｄ）は、図７（Ｃ）に示す操作部側筐体２の所定領域（図中ａで示す領域）を拡大したときの図を示す。
【００６３】
ここで、充電端子１９の外表面を覆っている金属部７４が基準電位部７２と導通していた場合には、基準電位部７２の影響によりループアンテナ部８１のアンテナ特性が劣化するおそれがある。そこで、本発明では、以下に示す構成により当該課題を回避する。
【００６４】
以下に、金属部７４の端子が回路基板７０に固定される際の態様について説明する。
【００６５】
金属部７４の端子は、上述したように回路基板７０の第２の面７３から第１の面７１に向かって挿通されているため、第１の面７１に突出した金属部７４の端子の先端部の一部又は全部が基準電位部７２に係ってしまう。
【００６６】
そこで、金属部７４の端子の先端部の一部が基準電位部７２に係る場合には、基準電位部７２における金属部７４の端子の先端部が突出する場所に、当該先端部の外形形状から所定距離だけ離れるように切り欠き状の非導通部を形成する。そして、当該切り欠き状の非導通部に突出している金属部７４の端子の先端部を半田等により固定する（図８（Ａ）を参照）。
【００６７】
また、金属部７４の端子の先端部の全部が基準電位部７２に係る場合には、基準電位部７２における金属部７４の端子の先端部が突出する場所に、当該先端部の外形形状から所定距離だけ離れるように浮き島状の非導通部を形成する。そして、当該浮き島状の非導通部に突出している金属部７４の端子の先端部を半田等により固定する（図８（Ｂ）を参照。）。
【００６８】
このようにして、本発明に係る携帯電話機１によれば、金属部７４と基準電位部７２とが電気的に導通していないため、ループアンテナ部８１が操作部側筐体２厚さ方向及び幅方向の両方において、金属部７４を外表面に有する充電端子１９と対向して配置されている場合であっても（図７（Ｄ）を参照）、充電端子１９を覆っている金属部７４がグランドとみなされないため、アンテナ特性が劣化することがなく、充電端子１９の強度補強を金属部７４によって行いつつ、スペース的に限りのある操作部側筐体２内において、自由にループアンテナ部８１の配置位置を決定することができる。
【００６９】
なお、本発明は、本実施形態として限定されるものではない。例えば本発明に係る携帯電話機１では、ループアンテナ部８１が、充電端子１９と操作部側筐体２内面との間に配設され、充電端子１９は、ループアンテナ部８１を操作部側筐体２の内面側に押圧する構成であっても良い。
【００７０】
このような構成の場合には、ループアンテナ部８１と充電端子１９が外表面を覆っている金属部７４とが接触することになるが、金属部７４が基準電位部７２と非導通になっているので、アンテナ特性の劣化を回避することができる。
【００７１】
また、本発明に係る携帯電話機１では、操作部側筐体２と、操作部側筐体２内に配設されたループアンテナ部８１と、操作部側筐体２内に配設された基準電位部７２を有する回路基板７０と、回路基板７０上に実装された、外表面に金属部７４を有する充電端子１９と、を有し、金属部７４とループアンテナ部８１との間には磁性体材料が配設され、充電端子１９は、磁性体材料を介してループアンテナ部８１を操作部側筐体２内面側に押圧する構成であっても良い。
【００７２】
このような構成の場合には、上述したような効果に加えて、あるいは金属部７４を基準電位部７２と非導通にしなくても、磁性体材料による遮蔽効果により、アンテナ特性の劣化を回避することができる。また、充電端子１９の強度補強を金属部７４によって行いつつ、スペース的に限りのある操作部側筐体２内において、自由にループアンテナ部８１の配置位置を決定することができる。さらに、磁性体材料として、弾性力を有する部材を採用することにより、磁性体材料にそれぞれ対向して配置されるループアンテナ部８１及び充電端子１９とを好適に保護することができる。また、本実施形態において、電子部品の一例として充電端子１９を挙げたが、それ以外にも金属部７４に相当する金属部７４を有する回路基板上に実施されたその他の電子品であっても良い。
【００７３】
また、本実施形態においては、通信機器の一例として携帯電話機１を挙げたが、本発明はこれに限らず、アンテナを介して通信を行うその他の通信機器においても適用可能である。
【図面の簡単な説明】
【００７４】
【図１】携帯電話機を開いた状態（第１開状態）における正面図を示す。
【図２】（Ａ）携帯電話機を開いた状態における左側面図を示し、（Ｂ）携帯電話機を開いた状態における右側面図を示す。
【図３】携帯電話機を開いた状態における背面図を示す。
【図４】操作部側筐体の分解斜視図を示す。
【図５】本発明に係る携帯電話装置の機能を示すブロック図である。
【図６】ループアンテナ部とリアケースと回路基板とを組み立てる過程についての説明に供する斜視図である。
【図７】操作部側筐体の断面図である。
【図８】金属部の端子の先端部が回路基板に固定されている様子を示す図である。
【符号の説明】
【００７５】
１  携帯電話機
２  操作部側筐体
２ａ、３ａ  フロントケース
２ｂ、３ｂ  リアケース
３  表示部側筐体
４  連結部
１９  充電端子
７０  回路基板
７２  基準電位部
７４  金属部
８０  アンテナ部
８１  ループアンテナ部
【図１】
2008211598.tif 000003
【図２】
2008211598.tif 000004
【図３】
2008211598.tif 000005
【図４】
2008211598.tif 000006
【図５】
2008211598.tif 000007
【図６】
2008211598.tif 000008
【図７】
2008211598.tif 000009
【図８】
2008211598.tif 000010